(57)【特許請求の範囲】
【請求項１】
正面側に開口する筺形の本体キャビネットと、
複数の図柄が表示された回転リール及びこの回転リールを回転させるための駆動モータを有するリールユニットを、少なくともこれらを支持する支持体に固定した交換ユニットと、
遊技メダルを払い出すための払い出し装置と、
前記回転リール及び払い出し装置の作動を制御するための制御装置とを少なくとも有するスロットマシンにおいて、
前記本体キャビネットの内部に、前記開口を上下二つの開口に仕切る仕切部材を取り付け、
前記仕切部材上側が形成する開口上部を開閉可能に塞ぐ上扉と、前記仕切部材下側が形成する開口下部を開閉可能に塞ぐ下扉とを設け、
前記上扉には係合部の一方を設けると共に、前記交換ユニットの支持体には、前記上扉の係合部と回転自在に係合する他方の係合部を設け、
前記交換ユニットを、前記上扉と一体で筐体内部に着脱可能に形成すると共に、前記上扉は、前記交換ユニットを筐体に収納した状態で、筐体の開口上部を開閉可能に形成し、
前記仕切部材の上部には、少なくとも、前記交換ユニット及び制御装置を配置し、
前記仕切部材の下方には、少なくとも、設定変更など店が遊技機の特性を変更するための操作装置の少なくとも操作部を取り付け、
前記操作部の下方には、少なくとも、前記払い出し装置を固定したことを特徴とするスロットマシン。
【請求項２】
正面側に開口する筺形の本体キャビネットと、
遊技メダルを払い出すためのホッパーユニットと、
複数の図柄が表示された回転リール及びこの回転リールを回転させるための駆動モータを有するリールユニット及び前記回転リール及びホッパーユニットの作動を制御するための主基板を、少なくともこれらを支持する支持体に固定した交換ユニットと、を少なくとも有するスロットマシンにおいて、
前記本体キャビネットの内部に、前記開口を上下二つの開口に仕切る中板を取り付け、
前記中板上側が形成する開口上部を開閉可能に塞ぐ上扉と、前記中板下側が形成する開口下部を開閉可能に塞ぐ下扉とを設け、
前記上扉には係合部の一方を設けると共に、前記交換ユニットの支持体には、前記上扉の係合部と回転自在に係合する他方の係合部を設け、
前記交換ユニットを、前記上扉と一体で筐体内部に着脱可能に形成すると共に、前記上扉は、前記交換ユニットを筐体に収納した状態で、筐体の開口上部を開閉可能に形成し、
前記中板の上部には、少なくとも、前記交換ユニットを配置し、
前記中板の下方には、少なくとも、設定変更など店が遊技機の特性を変更するための操作部を有する操作装置を取り付け、
前記操作装置の下方には、少なくとも、前記ホッパーユニットを固定したことを特徴とする分離型スロットマシン。
【請求項３】
前記仕切部材の下面に、電源装置を取り付けたことを特徴とする請求項１記載のスロットマシン。
【請求項４】
前記中板の下面に、電源装置を取り付けたことを特徴とする請求項２記載の分離型スロットマシン。
【発明の詳細な説明】
【０００１】
【発明の属する技術分野】
この発明は、スロットマシンに関する。
【０００２】
【従来の技術】
従来のスロットマシンは、正面側に開口する筺形の本体キャビネットと、本体キャビネットの開口部を開閉自在に塞ぐ前扉とから成り、本体キャビネットの内部に、リールユニット、払い出し装置としてのホッパーユニット、これらを制御する制御装置等が固定設置され、全体が構成されていた。そして、スロットマシンの主電源を入れるための電源装置や、設定変更など店が遊技機の特性を変更するための操作装置は、前扉ヒンジ側の下方に設置されており、前記ホッパーユニットを挟んで操作装置の対向側には、ホッパーユニットから溢れたメダルを受けて貯めておくためのタンクが配置されていた。
【０００３】
【発明が解決しようとする課題】
しかし、従来のスロットマシンにおいては、前記操作装置を操作する際、前扉を全開しなければならず、操作がしにくい。そのため、操作装置を前扉の反ヒンジ側に設けようとすると、ホッパーユニットから溢れたメダルを受けて貯めておくためのタンクを移動させなければならない。ところが、このタンクは、遊技中に店員などが遊技者の目の前で出し入れをする機会が多いので、なるべく内部装置を人目に晒さないようにするため、扉を少し開けただけで出し入れできる場所に設置するのが好ましく、配置場所を変えたくない。
【０００４】
そこで、各請求項にそれぞれ記載された各発明は、上記した従来の技術の有する問題点に鑑みてなされたものであり、その目的とするところは、筐体内部に設けられている操作装置など種々の装置が、機能的に配置されているスロットマシンを提供しようとするものである。
【０００５】
【課題を解決するための手段】
各請求項にそれぞれ記載された各発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
【０００６】
（請求項１）
（特徴点）
請求項１記載の発明は、次の点を特徴とする。
すなわち、請求項１記載の発明は、正面側に開口する筺形の本体キャビネット１と、複数の図柄が表示された回転リール23及びこの回転リール23を回転させるための駆動モータを有するリールユニット22を、これらを支持する支持体に固定した交換ユニット２と、遊技メダルを払い出すための払い出し装置と、前記回転リール23及び払い出し装置の作動を制御するための制御装置とを少なくとも有するスロットマシンにおいて、前記本体キャビネット１の内部に、前記開口を上下二つの開口に仕切る仕切部材を取り付け、前記仕切部材上側が形成する開口上部13を開閉可能に塞ぐ上扉30と、前記仕切部材下側が形成する開口下部14を開閉可能に塞ぐ下扉40とを設け、前記上扉30には係合部６の一方（上扉係合部61）を設けると共に、前記交換ユニット２の支持体には、前記上扉30の係合部６と回転自在に係合する他方の係合部６（枠体係合部60）を設け、前記交換ユニット２を、前記上扉30と一体で筐体内部に着脱可能に形成すると共に、前記上扉30は、前記交換ユニット２を筐体１に収納した状態で、筐体１の開口上部13を開閉可能に形成し、前記仕切部材の上部には、少なくとも、前記交換ユニット２及び制御装置を配置し、前記仕切部材の下方には、少なくとも、設定変更など店が遊技機の特性を変更するための操作装置９の少なくとも操作部を取り付け、前記操作部の下方には、少なくとも、前記払い出し装置を固定したことを特徴とする。
【０００７】
本発明は、リールユニット及22を最低限交換可能に形成した分離型スロットマシンであり、前扉３を上下二分割し、本体キャビネット１の開口部11を二分割する仕切部材を設けるとともに、少なくとも操作装置９の操作部を前記仕切部材の下方に取り付けたスロットマシンである。
本発明においては、前記本体キャビネット１の開口部11は、仕切部材により上下二つの開口（開口上部13及び開口下部14）に仕切られており、開口上部13の内側、すなわち仕切部材の上側には、リールユニット22及び制御装置が配置されている。
【０００８】
ここで、前記仕切部材としては、中板12等が挙げられるが、開口部11を上下二つの開口に仕切ることができるものであればよい。
また、前記制御装置としては、例えば配線基板に制御用電子部品一式が搭載されてなる電子基板（単に基板ということもある）等が挙げられるが、回転リール23と払い出し装置の作動を制御することができる装置であればよい。スロットマシンでは、回転リールと払い出し装置の作動を制御することができる基板を、通常、主基板と称している。これは、回転リールと払い出し装置の作動以外、例えば画像表示装置や演出用リールや演出用のその他の表示装置などの演出用装置などを制御することができる基板として副基板を備えるようにした場合に、この副基板と区別するためである。制御装置は、前記主基板及び副基板を搭載した基板ユニット24として形成することができる。
【０００９】
また、前記リールユニット22は、表面に複数の図柄が表示される回転リール23を複数（例えば３個）有し、各回転リール23の回転軸にはこれらを回転させるための駆動モータがそれぞれ設けられているものである。
なお、仕切部材の上側に配置されるのはリールユニット22及び制御装置に限られず、他の構成部品が含まれていてもよい。
【００１０】
一方、前記本体キャビネット１の開口下部14の内側、すなわち仕切部材の下方には、払い出し装置が固定されている。払い出し装置としては、例えばホッパーユニット等が挙げられるが、遊技メダルを払い出すことのできる装置であればよい。
さらに、前記仕切部材の下面を含む下方には、操作装置９の少なくとも操作部（遊技機の設定変更をするための店操作部100）が取り付けられている。なお、操作装置９は、仕切部材の下面に固着されていてもよいし、着脱可能に取り付けられていてもよい。
【００１１】
また、本発明においては、操作装置９は、少なくとも操作部（例えば設定変更スイッチ210）が仕切部材（例えば中板12）の下方となるように取り付けられていればよく、例えば操作装置９の本体は別の場所、例えば本体キャビネット１の底板15などに設けられていてもよい。
なお、仕切部材の下方に配置されるのは、操作装置９に限られず、例えばスロットマシンの電源を入れるための電源装置８が設けられていてもよい。この場合、電源装置８の、少なくとも操作部が仕切部材の下方となるように取り付けることもできる。また、前記操作装置９と、電源装置８とをあわせて、電源ユニット４を形成してもよい。
【００１２】
前記上扉30は、下扉40とともに前扉３を構成するものであり、上扉30及び下扉40を閉じると本体キャビネット１の開口部11を塞ぎ、スロットマシンの正面構造となるように形成されているものである。すなわち、上扉30及び下扉40に、回転リール23を見ることができる図柄表示窓32や、スロットマシンを操作するための操作部41等を設けることができるものである。この上扉30及び下扉40は、本体キャビネット１に固着されていてもよいし、分離可能に形成されていてもよい。
【００１３】
（作用）
前記払い出し装置及び操作装置９は、メダル詰まり等のトラブル解消や、遊技機の設定変更等、ホールの従業員により頻繁に操作する必要がある。一方、リールユニット22及び制御装置については、特定の人以外には操作できないようになっていることが望ましいものである。本発明によれば、操作が頻繁に行われる部分と、できるだけ外部から遮断したい部分とを別々に配置し、かつそれぞれを別個の扉にて閉鎖することができる。
さらに、設定変更等の操作をする場合、下扉40を全開しなくてもよいので操作がし易い。
【００１４】
（請求項２）
（特徴点）
請求項２記載の発明は、次の点を特徴とする。
すなわち、請求項２記載の発明は、正面側に開口する筺形の本体キャビネット１と、遊技メダルを払い出すためのホッパーユニット５と、複数の図柄が表示された回転リール23及びこの回転リール23を回転させるための駆動モータを有するリールユニット22、及び前記回転リール23及びホッパーユニット５の作動を制御するための主基板を、少なくともこれらを支持する支持体に固定した交換ユニット２と、を少なくとも有するスロットマシンにおいて、前記本体キャビネット１の内部に、前記開口を上下二つの開口に仕切る中板12を取り付け、前記中板12上側が形成する開口上部13を開閉可能に塞ぐ上扉30と、前記中板12下側が形成する開口下部14を開閉可能に塞ぐ下扉40とを設け、前記上扉30には係合部６の一方（上扉係合部61）を設けると共に、前記交換ユニット２の支持体には、前記上扉30の係合部６と回転自在に係合する他方の係合部６（枠体係合部60）を設け、前記交換ユニット２を、前記上扉30と一体で筐体内部に着脱可能に形成すると共に、前記上扉30は、前記交換ユニット２を筐体１に収納した状態で、筐体１の開口上部13を開閉可能に形成し、前記中板12の上部には、少なくとも、前記交換ユニット２を交換可能に配置し、前記中板12の下方には、少なくとも、設定変更など店が遊技機の特性を変更するための操作部を有する操作装置９を取り付け、前記操作装置９の下方には、少なくとも、前記ホッパーユニット５を固定したことを特徴とする。
【００１５】
本発明は、リールユニット及22び主基板を最低限交換可能に形成した分離型スロットマシンである。
本発明においては、前記本体キャビネット１の開口部11は、中板12により上下二つの開口（開口上部13及び開口下部14）に仕切られており、開口上部13の内側、すなわち中板12の上側には、リールユニット22及び主基板を支持体に固定した交換ユニット２が交換可能に配置されている。ここで、主基板は、ＲＯＭ、ＲＡＭ、ＣＰＵ等を有し、主として、当選の抽選や回転リール23の停止制御など遊技を制御するものであり、これを交換すると遊技内容を変更することができる。また、前記リールユニット22は、表面に複数の図柄が表示される回転リール23を複数（例えば３個）有し、各回転リール23の回転軸にはこれらを回転させるための駆動モータがそれぞれ設けられているものである。
【００１６】
上記したリールユニット22及び主基板は、遊技内容を変更すると、回転リール23の図柄や図柄配置を変更する必要もあることから、セットで交換できるようにされているものである。交換は、両者を一体として行うのが望ましいが、別々に取り替え可能としてもよい。なお、中板12の上側に配置されるのはリールユニット22及び主基板に限られず、他の構成部品、例えば演出を制御するための副基板などが含まれていてもよい。
【００１７】
一方、前記本体キャビネット１の開口下部14の内側、すなわち中板12の下方には、ホッパーユニット５が固定されている。ここで、ホッパーユニット５は、入賞によりメダルを払い出すとともにメダルを貯留しておくためのものである。
さらに、前記中板12の下面を含む下方には、操作装置９が取り付けられている。前記操作装置９には、遊技機の設定変更をするための操作部（店操作部100）が設けてある。なお、操作装置９は、中板12の下面に固着されていてもよいし、着脱可能に取り付けられていてもよい。
【００１８】
前記上扉30は、下扉40とともに前扉３を構成するものであり、上扉30及び下扉40を閉じると本体キャビネット１の開口部11を塞ぎ、スロットマシンの正面構造となるように形成されているものである。すなわち、上扉30及び下扉40に、回転リール23を見ることができる図柄表示窓32や、スロットマシンを操作するための操作部41等を設けることができるものである。この上扉30及び下扉40は、交換ユニット２や本体キャビネット１に固着されていてもよいし、分離可能に形成されていてもよい。
【００１９】
（作用）
前記ホッパーユニット５及び操作装置９は、メダル詰まり等のトラブル解消や、遊技機の設定変更等、ホールの従業員により頻繁に操作する必要がある。一方、リールユニット22及び主基板については、同時に交換する頻度が高いと同時に、特定の人以外には操作できないようになっていることが望ましいものである。本発明によれば、操作が頻繁に行われる部分と、できるだけ外部から遮断したい部分とを別々に配置し、かつそれぞれを別個の扉にて閉鎖することができる。
【００２０】
（請求項３）
（特徴点）
請求項３記載の発明は、上記した請求項１記載の発明の特徴点に加え、次の点を特徴とする。
すなわち、請求項３記載の発明は、前記仕切部材の下面に、電源装置８を取り付けたことを特徴とする。
ここで、電源装置８は、スロットマシンの電源を入れるためのものであり、操作スイッチ（電源スイッチ200）を有し、電源基板等が内蔵されている。なお、この電源装置８は、中板12の下面に固着されていてもよいし、着脱可能に取り付けられていてもよい。電源装置８と、前記操作装置９とを一体的に形成し、電源ユニット４とすることもできる。
【００２１】
また、電源装置８の、少なくとも操作部（例えば電源スイッチ200）が仕切部材（例えば中板12）の下方となるように取り付けることができ、例えば電源装置８の本体は別の場所、例えば本体キャビネット１の底板15などに設けられていてもよい。
（作用）
本発明によれば、電源装置８と、前記操作装置９とが近接して配置されることから、電源スイッチ等のスイッチ類の操作をより能率的に行うことができる。加えて、下扉40を全開しなくとも設定変更等の操作をすることができる。
【００２２】
（請求項４）
（特徴点）
請求項４記載の発明は、上記した請求項１又は２記載の発明の特徴点に加え、次の点を特徴とする。
すなわち、請求項４記載の発明は、前記中板12の下面に、電源装置８を取り付けたことを特徴とする。
【００２３】
ここで、電源装置８は、スロットマシンの電源を入れるためのものであり、操作スイッチを有し、電源基板等が内蔵されている。なお、この電源装置８は、中板12の下面に固着されていてもよいし、着脱可能に取り付けられていてもよい。
さらに、電源装置８と、前記操作装置９とを一体的に形成し、電源ユニット４とすることもできる。
【００２４】
（作用）
本発明によれば、電源装置８と、前記操作装置９とが近接して配置されることから、電源スイッチの操作及び設定変更スイッチの操作をより能率的に行うことができる。加えて、下扉40を全開しなくとも設定変更等の操作をすることができる。
【００２５】
【発明の実施の形態】
本発明の実施の形態を図面に基づき説明する。
なお、本実施の形態に係るスロットマシンは、分離型スロットマシンである。
（図面の説明）
図１乃至図５は、本発明の実施の形態を示すものである。
【００２６】
図１及び図２は分離型スロットマシンを示す分解斜視図、図３及び図４は電源ユニット４の取り付け部を示す図、図５は本発明の他の実施の形態を示す斜視図である。
本実施の形態における分離型スロットマシンは、図１に示すように、大きく分けて、正面側に開口部11を有する本体キャビネット１、本体キャビネット１内部に着脱自在に設けられる交換ユニット２、本体キャビネット１の開口上部13を開閉可能に塞ぐ上扉30、本体キャビネット１の開口下部14を開閉可能に塞ぐ下扉40とから構成されている。
【００２７】
（本体キャビネット１）
本体キャビネット１は、底板15及び側板16及び天板及び裏板からなる正面側に開口する筺体であり、高さ方向略中央部には、二つの側板16の間に水平方向に中板12が設けられている。そして、この中板12の下面には電源ユニット４が設けられ、底板15にはホッパーユニット５が固定されている。
【００２８】
ここで、電源ユニット４は、中板12の下面に、支持部材120を介して取り付けられており、電源装置８及び遊技店側が種々の設定を行うためのスイッチ等、店操作部100を有する操作装置９が内装されている。上記電源ユニット４及びホッパーユニット５は、交換ユニット２の交換に際し、必ずしも交換する必要のないものであり、交換時には設置されたままにしておけるようになっているものである。
【００２９】
ところで、前記電源ユニット４を、図１等に示すように中板12の下方に設けると、ホッパーユニット５から溢れたメダルを受けて貯めておくためのタンク300を別の場所に配置する必要なく、操作しやすい位置に店操作部100を配置することができる。というのは、前記タンク300は、この内部にメダルが満杯になったときにメダルを取り出すために店員などが取り外し、メダルを取り出した後再び元の場所に設置するという様に使用されるものである。従って、扉を少し開けただけで取り出すことができ、しかも手を奥に差し入れることなく手前側で出し入れできるように、前扉３の係合部６とは反対側に配置されるのが好ましい。しかし、タンク300をこの位置に設置すると、電源ユニット４を同じ位置に設置するのはスペース上難しく、かといって電源ユニット４が前扉３の係合部６側にあると、操作をするのに扉を全開しなければならず、都合が悪い。よって、電源ユニット４を中板12の下方に、少なくとも店操作部100が中板12の下方に位置するように設けるのが好ましい。
【００３０】
さらに、前記電源ユニット４に関しては、店操作部100（すなわち電源スイッチ200と設定変更スイッチ210）のみをスイッチユニットとして中板12の下方に配置し、電源装置や設定変更をするための装置は別の場所、例えば底板15に載置してもよい。
また、側板16の正面左側の下部には、前記下扉40を係合させ、回転自在に支持するための本体係合部62が、上下方向に間隔をおいて二つ設けられている。
【００３１】
さらに、本体係合部62の対向側の側板16には、下扉40を閉めた際、下扉40をロックするための突出片90（ロック機構７）が、上下方向に間隔をおいて二つ設けられている。
なお、本実施の形態においては、メダルを貯留すると共にメダルを払い出す払い出し装置としてホッパーユニット５を有するスロットマシンとしたが、遊技メダルを払い出すことのできる装置であれば、ホッパーユニット５以外の装置が代わりに設けられていてもよい。
【００３２】
また、中板12は仕切部材として用いられているものであるが、これがあることにより、本体キャビネット１の開口上部13と開口下部14とを完全に分離することができ、開口下部14が開放された状態で開口上部13に設置されている装置に異物を挿入する等の不正行為を防ぐことができる。従って、仕切部材としては、開口部11を上下二つの開口（開口上部13及び開口下部14）に仕切ることができるものであれば、板材でなくともよい。
【００３３】
（交換ユニット２）
交換ユニット２は、種々の部品を設置あるいは固定するための支持体としての枠体21と、この枠体21に固定されたリールユニット22及び基板ユニット24とから形成されている。
ここで、リールユニット22は、周囲に複数の図柄を表示した複数の回転リール23と、特に図示しないが、回転リール23を回転させるための駆動モータを有している。また、前記基板ユニット24には、遊技及びスロットマシンの作動を制御するための主基板と、各種演出を行うための副基板が含まれている。前記主基板及び副基板は、スロットマシンの制御装置として機能する。
【００３４】
前記枠体21の正面左側の縦枠には、前記上扉30を回転自在に係合するための枠体係合部60が、上下方向に間隔をおいて二つ設けられている。
さらに、枠体係合部60の対向側の縦枠には、上扉30を閉めた際、上扉30をロックするための突出片90（ロック機構７）が、上下方向に間隔をおいて二つ設けられている。
【００３５】
交換ユニット２は、本体キャビネット１の中板12の上に乗せ、開口上部13内部に収納されるものである。そして、固定装置10により本体キャビネット１に固着される。
なお、支持体としては枠体21に限られず、リールユニット22及び基板ユニット24等の機器を設置することが可能な強度を有する構造体であればよい。
【００３６】
（上扉30）
上扉30は、交換ユニット２の枠体21に回転自在かつロック可能に形成されている板状の扉であり、略中央部に前記回転リール23の図柄を正面側から見ることができる図柄表示窓31を有し、周囲に飾り部33を設けてある。そして、種々の表示を行うための表示装置32が設けられているものである。
【００３７】
ここで、前記飾り部33は、ランプ等により形成しても良く、入賞の報知その他の演出時にランプが点滅するようにしてもよい。また、前記表示装置32は、７セグメントＬＥＤ等により数字を表示するものや、特に図示しないが、画像を表示するための液晶画面あるいはＣＲＴなどとしてもよい。
さらに、図２に示すように、上扉30の裏面には、前記枠体係合60部に係合可能な上扉係合部61が上下方向に間隔をおいて二つ設けられており、上扉係合部61の対向側には、ロック機構７が設けられている。
【００３８】
（下扉40）
下扉40は、本体キャビネット１の開口下部14を塞ぐための、上扉30よりも幅厚の扉であり、本体キャビネット１の側板16に回転自在かつロック可能に形成されているものである。
下扉40の上部は、スロットマシンを作動させるための操作部41となっており、下扉40の上面は、閉扉時においては、上扉30よりも前側に突出するようになっている。また、下部には払い出されたメダルを溜めておくためのメダル受け43が形成されており、下扉40の略中央部には、遊技内容その他の表示をするための前パネル50が嵌め込まれている。
【００３９】
前記操作部41としては、下扉40の上面右端にはメダル投入口42及び上面左側に設けられたベットスイッチ、正面側にはスタートスイッチ及びストップスイッチ及び鍵穴44が設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、前扉３を解錠するためのものであり、この穴に所定の鍵を差し込んで回すと、下扉40のロックが解除されるものである。
【００４０】
さらに、図２に示すように、下扉40の裏面側には、前記メダル投入口42から投入されたメダルを誘導しながらメダルの正偽を判断するためのメダルセレクター48が設けられている。そして、下扉40の裏面下部の左右には、種々の音声を出力するためのスピーカ49が設けられている。
また、下扉40の裏面には、前記本体係合部62と係合可能な下扉係合部63が上下方向に間隔をおいて二つ設けられており、下扉係合部63の対向側には、ロック機構７が設けられている。
【００４１】
（電源ユニット４の取り付け）
ここで、特に本発明の要点となる部分について、図面に基づき詳細に説明する。
図３は、電源ユニット４の中板12への取り付け部を示す図である。
ここで、電源ユニット４は、図３（Ａ）に示すように電源装置８と操作装置９とが別々に形成されていてもよいし、図３（Ｂ）に示すように両者が一体形成されているものでもよい。そして、電源装置８には、スロットマシンの電源のＯＮ、ＯＦをするための電源スイッチ200が、操作装置９には、スロットマシンの遊技設定を変更するための設定変更スイッチ210がそれぞれ設けられていて、店操作部100を形成している。
【００４２】
図３（Ａ）は、中板12の下面に支持部材120を取り付けて、その上に電源ユニット４を設置したものである。すなわち、支持部材120として、略Ｌ型に形成した板材121を用い、この板材121の一端を中板12の下面に固定し、他端を側板16に固定することにより、中板12の下部であってホッパーユニット５の上部に棚部を形成し、その棚部に電源ユニット４を乗せて固定したものである。このとき、電源ユニット４は棚部に固着されていてもよいし、交換可能に形成されていてもよい。
【００４３】
なお、図３（Ｂ）に示すように、前記板材121をコ字状に形成し、両端部を中板12の下面に取り付けて棚部を形成するようにしてもよい。
さらに、電源ユニット４の中板12下面への取り付けは、図４に示すようにすることもできる。
図４（Ａ）は、中板12の下面に支持部材120を取り付けて、中板12から電源ユニット４を吊り下げたものである。すなわち、支持部材120として溝部122aを有する二本の取り付けレール122を用い、この取り付けレール122を、溝部122aが対向するように奥行き方向に向かって平行に取り付ける。そして、電源ユニット４の上端部には左右に張り出す凸部130を設け、この凸部130を前記取り付けレール122の溝部122aに係合させることにより、電源ユニット４を中板12下面であってホッパーユニット５の上部に配置したものである。このとき、電源ユニット４は棚部に固着されていてもよいし、交換可能に固定されていてもよい。交換可能にする場合には、特に図示しないが、前記凸部130の代わりにガイドローラを設け、ストッパーにより固定することができる。
【００４４】
なお、図４（Ｂ）に示すように、取り付け部材120を、前記取り付けレール122の溝部122a端部に相対向する張り出し部122bを形成したものとすると共に、溝部122aを下方にして中板12下面に取り付けてもよい。この場合には、電源ユニット４の上面にボルト状に形成した取り付け突起131を設け、この取り付け突起131を前記溝部122aに入れ、ボルトの頭部を前記張り出し部122bに引っかけるようにして、電源ユニット４を中板12下面であってホッパーユニット５の上部に配置するものである。このとき、電源ユニット４は棚部に固着されていてもよいし、取り外し可能に固定されていてもよい。
【００４５】
このように、電源ユニット４を中板12下面であってホッパーユニット５の上部に配置することにより、下扉40を全開しなくても操作スイッチの操作ができ、また、電源装置８及び操作装置９を一カ所にまとめて設置することにより、本体キャビネット１内部にスペースを確保できる。
ところで、本実施の形態は、電源装置８及び操作装置９を中板12下面に取り付けたものであったが、本願発明としては、図５に示すように、電源装置８を本体キャビネットの底板15上部であってホッパーユニット５の側方に配置し、操作装置９を中板12下面に取り付けてもよい。この場合、電源スイッチ200については、電源装置８に設けてもよいが、図示したように操作装置９に設けると操作しやすい。
【００４６】
以上、本願発明について、分離型スロットマシンＳを例として述べてきたが、本願発明は分離型でないスロットマシンにも適用できるものである。
【００４７】
【発明の効果】
本発明は、以上のように構成されているので、以下に記載されるような効果を奏する。
（請求項１又は３）
請求項１又は３記載の発明によれば、筐体内部に設けられている操作装置など種々の装置が、機能的に配置されている分離型スロットマシンを提供することができる。
【００４８】
（請求項２又は４）
請求項２又は４記載の発明によれば、交換可能な部分と、固定されている部分とが、機能的に配置されている分離型スロットマシンを提供することができる。
【図面の簡単な説明】
【図１】本発明の実施の形態であって、分離型スロットマシンの分解斜視図である。
【図２】本発明の実施の形態であって、分離型スロットマシンの、本体から前扉３を外した分解斜視図である。
【図３】本発明の実施の形態であって、電源ユニットの取り付けを示す図である。
【図４】本発明の実施の形態であって、電源ユニットの取り付けを示す図である。
【図５】本発明の他の実施の形態であって、前扉を外した分離型スロットマシンの斜視図である。
【符号の説明】
Ｓ  分離型スロットマシン
１  本体キャビネット
10  固定装置                    11  開口部
12  中板                        13  開口上部
14  開口下部                    15  底板
16  側板
２  交換ユニット
21  枠体                        22  リールユニット
23  回転リール                  24  基板ユニット
３  前扉
30  上扉                        31  表示窓
32  表示装置                    33  飾り部
40  下扉                        41  操作部
42  メダル投入口                43  メダル受け
44  鍵穴                        48  メダルセレクター
49  スピーカ                    50  前パネル
６  係合部
60  枠体係合部                  61  上扉係合部
62  本体係合部                  63  下扉係合部
７  ロック機構
４  電源ユニット                ５  ホッパーユニット
８  電源装置                    ９  操作装置
100 店操作部                    120 支持部材
200 電源スイッチ                210 設定変更スイッチ
300 タンク
【図１】
0003616769.tif 000002
【図２】
0003616769.tif 000003
【図３】
0003616769.tif 000004
【図４】
0003616769.tif 000005
【図５】
0003616769.tif 000006